(57)【要約】【課題】洗浄水が導水路の上昇流路の上端部に到達するまでにボウル部の内側の汚物受け面側に流下しすぎてしまうことを抑制でき、洗浄水が上昇流路の上端部まで到達されず且つ上昇流路から汚物受け面側に流下する流れが形成されなくなることによるボウル部内の不洗浄領域が発生することを効果的に抑制することができる水洗大便器を提供する。【解決手段】本発明の水洗大便器１は、ほぼ上向きに立ち上がる縦壁面を形成するリム部１８と、を備えたボウル部２０を有し、ボウル部２０は、汚物受け面とリム部との間に周状に形成された導水路３０を形成し、導水路は、導水路の深部３０ａから上昇する上昇流路３０ｃの少なくとも一部においては、ボウル部の内側から外側に向かって下降する傾斜面又はボウル部の内側から外側に向かって水平に形成された水平面を形成する棚部３０ｈを備えている。【選択図】図２
2017227079.tif 000002
【特許請求の範囲】
【請求項１】
洗浄水源から供給される洗浄水によって洗浄されて汚物を排出する水洗大便器であって、
ボウル形状の汚物受け面と、ほぼ上向きに立ち上がる縦壁面を形成するリム部と、を備えたボウル部と、
このボウル部の下部に接続され汚物を排出する排水トラップ管路と、
上記リム部に設けられて上記ボウル部内に洗浄水を吐水するリム吐水部と、を有し、
上記ボウル部は、上記汚物受け面と上記リム部との間に周状に形成され且つ上記リム吐水部から吐水された洗浄水が周方向に導水されやすくなることにより上記ボウル部内に旋回流を形成させる導水路を形成し、
上記導水路は、上記導水路の深部から上昇する上昇流路の少なくとも一部においては、上記ボウル部の内側から外側に向かって下降する傾斜面又は上記ボウル部の内側から外側に向かって水平に形成された水平面を形成する棚部を備えていることを特徴とする水洗大便器。
【請求項２】
上記棚部は、上記ボウル部の内側から外側に向かって下降する傾斜面を形成する、請求項１に記載の水洗大便器。
【請求項３】
上記リム吐水部は、上記ボウル部の前方側領域において後方に向けた吐水を行うように配置され、また、上記導水路の上記上昇流路は、上記ボウル部の前部の上記深部から上記リム吐水部までの上昇流路を形成する、請求項１又は２に記載の水洗大便器。
【請求項４】
上記導水路の上記棚部は、上記上昇流路の中央部分から上端部にわたって形成されている、請求項１乃至３の何れか１項に記載の水洗大便器。
【請求項５】
上記導水路の上記棚部は、上記ボウル部のボウル開口を左右に二等分する前後方向軸線と、上記ボウル開口を前後に二等分する左右方向軸線との交点を原点とし、この原点を中心として、前後方向軸線に対して下流側且つ前後方向軸線からの中心角２０度以上６０度以下の範囲の領域内において形成されている、請求項１乃至３の何れか１項に記載の水洗大便器。
【発明の詳細な説明】
【技術分野】
【０００１】
本発明は、水洗大便器に係り、特に、洗浄水源から供給される洗浄水によって洗浄されて汚物を排出する水洗大便器に関する。
【背景技術】
【０００２】
従来から、特許文献１の図３、図５及び図６に示すように、使用者が感じる清潔感を向上させるためにリム部をほぼ鉛直方向に立ち上がるように形成し、さらに、ボウル部の汚物受け面とリム部との間に導水路（特許文献１においては棚部として示されている）が形成され、リム吐水口からこの導水路上に吐水された洗浄水により旋回流を形成し、汚物受け面を洗浄する水洗大便器が知られている。
【先行技術文献】
【特許文献】
【０００３】
【特許文献１】特開２０１３−４４１７７号公報
【発明の概要】
【発明が解決しようとする課題】
【０００４】
しかしながら、特許文献１に示すような水洗大便器においては、ボウル部の前部における導水路が汚物受け面とリム部との間の比較的高い位置に配置されていることから、男性の使用者が座り小便を行う際に、使用者の小便が導水路からリム部をのぼり且つリム部を超えて便器本体外に流出する又は飛び出るという問題が生じることとなった。特に、ほぼ鉛直方向に立ち上がるように形成されたリム部を備えた水洗大便器においては便器に座って使用する使用者の小便が導水路からリム部を超えて便器本体外に流出しやすいという問題が生じることとなった。
【０００５】
これに対し、ボウル部の前部における導水路の高さ位置を低い位置に下げることにより、男性の使用者が座り小便を行う際に小便がリム部を超えて便器本体外に流出することを防ぐことが検討された。
しかしながら、ボウル部の前部の導水路を下降させたことで、導水路において高低差が生じ、ボウル部の前部の低い位置に形成されることとなる導水路から上昇する上昇流路が必要となることから、この上昇流路において洗浄水の水勢が落ちるとともに水勢の落ちた洗浄水のほとんどが汚物受け面に流下してしまい、ボウル部内の汚物受け面及び導水路等に不洗浄領域を発生させてしまうという問題が生じることとなった。
【０００６】
そこで、本発明は、上述した従来技術の問題を解決するためになされたものであり、洗浄水が導水路の上昇流路の上端部に到達するまでにボウル部の内側の汚物受け面側に流下しすぎてしまうことを抑制でき、洗浄水が上昇流路の上端部まで到達されず且つ上昇流路から汚物受け面側に流下する流れが形成されなくなることによるボウル部内の不洗浄領域が発生することを効果的に抑制することができる水洗大便器を提供することを目的としている。
【課題を解決するための手段】
【０００７】
上述した目的を達成するために、本発明は、洗浄水源から供給される洗浄水によって洗浄されて汚物を排出する水洗大便器であって、ボウル形状の汚物受け面と、ほぼ上向きに立ち上がる縦壁面を形成するリム部と、を備えたボウル部と、このボウル部の下部に接続され汚物を排出する排水トラップ管路と、リム部に設けられて上記ボウル部内に洗浄水を吐水するリム吐水部と、を有し、ボウル部は、汚物受け面とリム部との間に周状に形成され且つリム吐水部から吐水された洗浄水が周方向に導水されやすくなることによりボウル部内に旋回流を形成させる導水路を形成し、導水路は、導水路の深部から上昇する上昇流路の少なくとも一部においては、ボウル部の内側から外側に向かって下降する傾斜面又はボウル部の内側から外側に向かって水平に形成された水平面を形成する棚部を備えていることを特徴としている。
このように構成された本発明においては、導水路上で周方向に導水される洗浄水が、導水路の深部から上昇する上昇流路を上昇し、洗浄水の水勢が弱められる場合に、導水路の上昇流路の少なくとも一部において、棚部がボウル部の内側から外側に向かって下降する傾斜面又はボウル部の内側から外側に向かって水平に形成された水平面を形成しているので、洗浄水が上昇流路の上端部に到達するまでにボウル部の内側の汚物受け面側に流下しすぎてしまうことを抑制できる。従って、洗浄水が上昇流路の上端部まで到達する前に全て内側の汚物受け面へ流下してしまうことを抑制し、洗浄水が上昇流路の上端部まで到達されず且つ上昇流路から汚物受け面側に流下する流れが形成されなくなることによりボウル部内の不洗浄領域が発生することを効果的に抑制することができる。
【０００８】
本発明において、好ましくは、棚部は、ボウル部の内側から外側に向かって下降する傾斜面を形成する。
このように構成された本発明においては、導水路上で周方向に導水される洗浄水が、導水路の深部から上昇する上昇流路を上昇し、洗浄水の水勢が弱められる場合に、導水路の上昇流路の少なくとも一部において、棚部がボウル部の内側から外側に向かって下降する傾斜面を形成しているので、洗浄水が上昇流路の上端部に到達するまでにボウル部の内側の汚物受け面側に流下しすぎてしまうことを抑制できる。従って、洗浄水が上昇流路の上端部まで到達する前に全て内側の汚物受け面へ流下してしまうことを抑制し、洗浄水が上昇流路の上端部まで到達されず且つ上昇流路から汚物受け面側に流下する流れが形成されなくなることによりボウル部内の不洗浄領域が発生することをより効果的に抑制することができる。
【０００９】
本発明において、好ましくは、リム吐水部は、ボウル部の前方側領域において後方に向けた吐水を行うように配置され、また、導水路の上昇流路は、ボウル部の前部の深部からリム吐水部までの上昇流路を形成する。
このように構成された本発明においては、導水路上で周方向に導水される洗浄水が、ボウル部の前部の深部からリム吐水部まで上昇する上昇流路を上昇し、洗浄水の水勢が弱められる場合に、導水路の上昇流路の少なくとも一部において、棚部がボウル部の内側から外側に向かって下降する傾斜面又はボウル部の内側から外側に向かって水平に形成された水平面を形成しているので、洗浄水が上昇流路の上端部に到達するまでにボウル部の内側の汚物受け面側に流下しすぎてしまうことを抑制できる。従って、洗浄水が上昇流路の上端部まで到達する前に全て内側の汚物受け面へ流下してしまうことを抑制し、洗浄水が上昇流路の上端部まで到達されず且つ上昇流路から汚物受け面側に流下する流れが形成されなくなることによりボウル部内の不洗浄領域が発生することをより効果的に抑制することができる。
また、リム吐水部は、ボウル部の前方側領域において後方に向けた吐水を行うように配置されているので、ボウル部の前方側に立つ使用者から見てリム吐水部が見えにくく且つ目立ちにくくされている。従って、リム吐水部を目立たなくすることにより、使用者がリム吐水部の汚れ等を気にすることを抑制し且つボウル部全体として使用者に美観を与えやすくすることができる。
【００１０】
本発明において、好ましくは、導水路の棚部は、上昇流路の中央部分から上端部にわたって形成されている。
このように構成された本発明においては、導水路上で周方向に導水される洗浄水が、ボウル部の前部の深部からリム吐水部まで上昇する上昇流路を上昇し、洗浄水の水勢が弱められる場合に、洗浄水の水勢が特に弱まる導水路の上昇流路の中央部分から上端部にわたって、棚部がボウル部の内側から外側に向かって下降する傾斜面又はボウル部の内側から外側に向かって水平に形成された水平面を形成しているので、洗浄水が上昇流路の上端部に到達するまでにボウル部の内側の汚物受け面側に流下しすぎてしまうことを抑制できる。
【００１１】
本発明において、好ましくは、導水路の棚部は、ボウル部のボウル開口を左右に二等分する前後方向軸線と、ボウル開口を前後に二等分する左右方向軸線との交点を原点とし、この原点を中心として、前後方向軸線に対して下流側且つ前後方向軸線からの中心角２０度以上６０度以下の範囲の領域内において形成されている。
このように構成された本発明においては、導水路上で周方向に導水される洗浄水が、ボウル部の前部の深部からリム吐水部まで上昇する上昇流路を上昇し、洗浄水の水勢が弱められる場合に、洗浄水の水勢が特に弱まる前後方向軸線からの中心角２０度以上６０度以下の範囲の領域内において、棚部がボウル部の内側から外側に向かって下降する傾斜面又は上記ボウル部の内側から外側に向かって水平に形成された水平面を形成しているので、洗浄水が上昇流路の上端部に到達するまでにボウル部の内側の汚物受け面側に流下しすぎてしまうことを抑制できる。
【発明の効果】
【００１２】
本発明の水洗大便器によれば、洗浄水が導水路の上昇流路の上端部に到達するまでにボウル部の内側の汚物受け面側に流下しすぎてしまうことを抑制でき、洗浄水が上昇流路の上端部まで到達されず且つ上昇流路から汚物受け面側に流下する流れが形成されなくなることによるボウル部内の不洗浄領域が発生することを効果的に抑制することができる。
【図面の簡単な説明】
【００１３】
【図１】本発明の一実施形態による水洗大便器の便器本体部分を斜め後方から見た状態を示す概略斜視図である。
【図２】図１に示す本発明の一実施形態による水洗大便器の概略平面図である。
【図３】本発明の一実施形態による水洗大便器における左右方向の中央断面を左側から見た断面図であり、便蓋及び便座を下方位置まで回動させた状態を示す。
【図４】図２のＩＶ−ＩＶ線に沿った断面図である。
【図５】図２のＶ−Ｖ線に沿った断面図である。
【図６】図２のＶＩ−ＶＩ線に沿った断面図である。
【図７】図２のＶＩＩ−ＶＩＩ線に沿った断面図である。
【発明を実施するための形態】
【００１４】
つぎに、図１〜図３を参照して、本発明の一実施形態による水洗大便器について説明する。
まず、図１は本発明の一実施形態による水洗大便器の便器本体部分を斜め後方から見た状態を示す概略斜視図であり、図２は図１に示す本発明の一実施形態による水洗大便器の概略平面図であり、図３は本発明の一実施形態による水洗大便器における左右方向の中央断面を左側から見た断面図であり、便蓋及び便座を下方位置まで回動させた状態を示す。
【００１５】
図１〜図３に示すように、本発明の一実施形態による水洗大便器１は、陶器製の便器本体２と、この便器本体２の上面に上下方向に回動可能に配置された便座４と、この便座４を覆うように上下方向に回動可能に配置された便蓋６と、便器本体２の後方に配置された機能部８とを備えている。
また、図３に示すように、機能部８は、便器本体２の後方上部に配置されて、使用者の局部を洗浄する衛生洗浄部として機能する衛生洗浄系機能部１０と、この衛生洗浄系機能部１０に近接して配置されて、便器本体２への給水機能に関与する給水系機能部１２とを備えている。
【００１６】
つぎに、図１〜図３に示すように、便器本体２は、ボウル形状の汚物受け面１４と、この汚物受け面１４の上方においてほぼ上向きに立ち上がる縦壁面を形成するリム部１８とを備えたボウル部２０を備えている。リム部１８は、後述する図４〜図７においても示すように、そのリム部１８の内周面がほぼ鉛直方向に立ち上がるように形成されている。リム部１８は、そのリム部の内周面の頂部を内側に大きく突出させるような一般的なオーバーハング形状を省略し、上方に向かってほぼ直線的に延びるようないわゆるオーバーハングの形状を省略したいわゆるフチなし形状を構成している。
また、図３に示すように、便器本体２は、ボウル部２０の下方に入口部２２ａが接続されて、ボウル部２０内の汚物を排出する排水路である排水トラップ管路２２を備えている。
【００１７】
つぎに、図２に示すように、ボウル部２０は、便器本体２の前方から見てボウル部２０の前方側領域内の右側のリム部１８の内部には、リム吐水部の一部であるリム通水路２４が形成されている。また、このリム通水路２４の下流端には、リム吐水部の一部であるリム吐水口２６が形成されている。
さらに、図２に示すように、リム通水路２４の上流側は、洗浄水源である水道（図示せず）から供給される洗浄水をリム通水路２４に供給する導水管２８に接続されている。この導水管２８の上流側は、洗浄水源である水道（図示せず）に直結されており、この水道の給水圧力を利用して、導水管２８からリム通水路２４内に供給された洗浄水は、リム通水路２４内で前方へ導かれ、その後、内側且つ後方側に屈曲し、下流側のリム吐水口２６まで導かれるようになっている。
そして、リム吐水口２６に導かれた洗浄水は、後方に向けて吐水（リム吐水）され、リム吐水口２６の下流側近傍の導水路３０を経てボウル部２０内を旋回することにより、ボウル部２０内に旋回流が形成されるようになっている。
【００１８】
なお、本実施形態の水洗大便器１においては、リム吐水部であるリム通水路２４及びリム吐水口２６について、便器本体２の前方から見てボウル部２０の前方側領域内の右側のリム部１８の内部に配置した形態について説明するが、このような形態に限定されず、リム吐水口を便器本体２の前方から見てボウル部２０の前方側領域内の左側、又はボウル部２０の後方側領域内の右側、又はボウル部２０の後方側領域内の左側のリム部１８に配置してもよい。例えば、リム吐水口は、ボウル部２０の後方側領域内の左側のリム部１８に配置され、前方側に向かって導水路上に吐水するように配置されてもよい。また、リム吐水部であるリム通水路２４及びリム吐水口２６については、本実施形態のボウル部２０内の１か所に配置した形態に限られず、２カ所に配置されていてもよい。例えば、リム吐水口を、ボウル部２０の後方側領域内の左側の第一リム吐水口と、ボウル部２０の後方側領域内の右側の第二リム吐水口とにより形成してもよい。
また、本実施形態の水洗大便器１においては、リム吐水部であるリム通水路２４及びリム吐水口２６は、陶器を加工することで便器本体２に一体に形成されているが、例えば、樹脂等で便器本体２とは別体として形成し、樹脂等の通水路を便器本体２内に取り付ける構成としてもよい。
【００１９】
さらに、図３に示すように、ボウル部２０の下部において、排水トラップ管路２２の入口部２２ａに向けて差し向けられるように開口されたゼット吐水部３２が形成されている。ゼット吐水部３２は、ジェット噴流を吐水する吐水口部を形成している。ゼット吐水部３２は、貯水タンク３４（或いは給水源）とボウル部２０の下部の流路とを接続するゼット導水路３１の下流端部に形成されている。ゼット導水路３１の上流側が加圧ポンプ３６を介して貯水タンク３４に接続されている。ゼット導水路３１は、このような流路形状が陶器により形成されている。このゼット吐水部３２による吐水（ジェット吐水）に関しては、給水系機能部１２に設けられている貯水タンク３４に貯水された洗浄水が、給水系機能部１２の加圧ポンプ３６によって加圧されて、ゼット吐水部３２から吐出されるようになっている。
【００２０】
また、ゼット吐水部３２から吐出された洗浄水は、排水トラップ管路２２の入口部２２ａから、この入口部２２ａの後方側の上昇管路２２ｂ内に流入した後、この上昇管路２２ｂ内を排水トラップ管路２２の頂部２２ｃから下降管路２２ｄに流出するようになっている。
なお、ゼット導水路３１に洗浄水を給水する給水源としては、貯水タンク３４の他に、水道又は設備の給水圧力を利用する水道等であってもよい。給水系機能部１２の加圧ポンプ３６は省略されてもよい。例えば、水道直圧式の給水方式を採用する場合には、水道の給水圧力により加圧された水が供給されるため、加圧ポンプ３６は省略されてもよい。
【００２１】
ここで、衛生洗浄系機能部１０及び給水系機能部１２のそれぞれの具体的な構造については、従来のものと同様であるため、詳細な説明については省略するが、衛生洗浄系機能部１０には、ボウル部２０の上方の使用者に向けて洗浄水を噴射するノズル装置（図示せず）を含む局部洗浄装置（図示せず）が設けられている。
その他、衛生洗浄系機能部１０には、局部洗浄装置（図示せず）に供給される洗浄水を貯水する貯水部（図示せず）、この貯水部（図示せず）内の洗浄水を適温に温めて温水にする加熱器（図示せず）、換気ファン（図示せず）、脱臭ファン（図示せず）、温風ファン（図示せず）、及び、これらの機器の作動を制御するコントローラ（図示せず）等が設けられている。
一方、給水系機能部１２の給水路（図示せず）は、その上流側が給水源である水道（図示せず）に接続されており、貯水タンク（図示せず）の上流側の給水路には、定流量弁（図示せず）、電磁弁（図示せず）、貯水タンク（図示せず）への給水とリム吐水口２６への吐水とを切り替える切替弁（図示せず）等が設けられている。また、給水系機能部１２には、これら以外にも、電磁弁（図示せず）の開閉操作、切替弁（図示せず）の切替操作、及び、加圧ポンプ（図示せず）の回転数や作動時間等を制御するコントローラ（図示せず）等が設けられている。
【００２２】
なお、本実施形態による水洗大便器１においては、リム吐水口２６によるリム吐水について水道の給水圧力を利用して行い、ゼット吐水部３２によるジェット吐水について加圧ポンプ（図示せず）を制御することにより貯水タンク（図示せず）内の洗浄水を供給する、いわゆる、ハイブリット式の水洗大便器の形態について説明するが、このような形態に限られず、他の形態についても適用可能である。すなわち、他の形態として、水道のみから直接的に供給される洗浄水について、バルブを切り替えることによってリム吐水口２６によるリム吐水とゼット吐水部３２によるジェット吐水とを切り替えるような形態であってもよいし、貯水タンク内の洗浄水について、ポンプのみを切り替えることによって、リム吐水口２６によるリム吐水とゼット吐水部３２によるジェット吐水とを切り替えるような形態であってもよい。
【００２３】
つぎに、図２乃至図７を参照して、本発明の一実施形態による水洗大便器１の導水路の詳細について説明する。
図４は図２のＩＶ−ＩＶ線に沿った断面図であり、図５は図２のＶ−Ｖ線に沿った断面図であり、図６は図２のＶＩ−ＶＩ線に沿った断面図であり、図７は図２のＶＩＩ−ＶＩＩ線に沿った断面図である。
【００２４】
ボウル部２０は、汚物受け面１４とリム部１８との間に周状（例えば一周にわたる帯状）に形成され且つリム吐水口２６から吐水された洗浄水が周方向に導水されやすくなることによりボウル部２０内に旋回流を形成させる導水路３０を形成している。
導水路３０は、汚物受け面１４の外縁の汚物受け面上端部１４ａと接続され、且つリム部１８の内縁のリム下端部１８ａと接続されている。導水路３０は、上面視で、汚物受け面１４及びリム部１８の形状に合わせた卵型の周回流路を形成している。導水路３０は、環状の流路を構成している。導水路３０は、その高さ位置が全周の大部分にわたって同じ高さ位置となるように形成されているが、ボウル部２０の前部においては、他の部分の導水路の高さ位置よりも深い位置を形成する深部３０ａを形成している。導水路３０の深部３０ａにおけるリム下端部１８ａは、他の領域のリム下端部１８ａよりも低い位置に形成され、最も低い位置のリム下端部１８ａを形成している。このように、深部３０ａは、導水路３０中において一段下がった谷状の底部を形成している。
【００２５】
図４乃至図６に示すように、導水路３０は、後述するように大部分の領域において、リム部１８のリム下端部１８ａから汚物受け面１４の汚物受け面上端部１４ａまで、わずかに内側向きに下降する比較的平坦な平面を形成している。導水路３０は、後述する深部３０ａ及びこの深部３０ａへの傾斜流路を除く大部分はリム吐水口２６の高さと同じ高さに形成されている。導水路３０は、リム部１８のリム下端部１８ａから汚物受け面１４の汚物受け面上端部１４ａまで、比較的水平に近い面を形成している。導水路３０は、リム部１８と汚物受け面１４との間において棚状（段状）の平坦な表面を形成している。従って、洗浄水は、全周にわたって平坦面が連続している導水路３０上を周回するように流れることができる。洗浄水は、導水路３０上を周回しようとする中で、洗浄水が徐々に内側の汚物受け面１４に流下することにより、汚物受け面１４の中心に向かって螺旋状に集束するような旋回流を形成することができる。
なお、リム吐水口２６は、導水路３０のリム吐水口近傍部３０ｂの接線に沿わせるような向きでリム吐水口近傍部３０ｂに接続される。よって、リム吐水口２６から吐水された洗浄水が、導水路３０上を周回するような向きで導水路３０上に周回流（旋回流）を形成する。
【００２６】
ボウル部２０の前部においては、導水路３０は、リム吐水口２６の高さより深い位置の深部３０ａを形成している。導水路３０の深部３０ａは、導水路３０の他の位置、例えばリム吐水口近傍部３０ｂ、後部３０ｆ、左前方部３０ｇ等における導水路３０の高さ位置よりも低い高さ位置に配置されている。よって、導水路３０の深部３０ａは、導水路３０のうち深い部分、例えば最深部を形成するようになっている。
ボウル部２０の前部において、導水路３０の深部３０ａの高さ位置を比較的低い位置に形成することにより、使用者が便座４に座った状態で小便をする場合に、この小便が導水路３０に衝突し、比較的高い位置から上方に真っ直ぐ立ち上がるリム部１８に沿って便器本体２外に流出する又は飛び出ることを抑制することができる。さらに、導水路３０の深部３０ａを比較的低い高さ位置に形成することにより、小便が導水路３０によって跳ね上げられ使用者にかかることを抑制することができる。
このように、特にリム部１８がオーバーハングの形状を省略してほぼ上向きに立ち上がる縦壁面を形成している場合においては、ボウル部２０の前部、例えば、汚物受け面１４の前端近傍における導水路３０の高さ位置を比較的低い位置に形成することにより、小便の飛び出し又は流出を抑制することができる。
【００２７】
導水路３０が深部３０ａを有するので、例えば、導水路３０の周回に沿って、左前方部３０ｇ側から深部３０ａに向かって周回方向Ｄの下降流路部分が一部に形成され、深部３０ａからリム吐水口近傍部３０ｂに向かってその一部に周回方向Ｄの上昇流路３０ｃ部分が形成される。
【００２８】
導水路３０は、リム吐水口２６から、リム吐水口２６の吐水方向（周回方向）に沿って、ボウル部２０の前部の導水路３０の深部３０ａに至るまでの領域においては、概ねボウル部２０の外側から内側に向かって下降する順傾斜面又は水平面を形成している。導水路３０のこのような順傾斜面の垂線は便器本体２の内側に向かって延びる。順傾斜面は内向きの面を形成している。導水路３０のうち、後述する逆傾斜面以外の部分は基本的には順傾斜面を形成している。例えばリム吐水口近傍部３０ｂ、後部３０ｆ、左前方部３０ｇにおいては、導水路３０は、順傾斜面を形成している。導水路３０が順傾斜面を形成していることにより、洗浄水は、導水路３０上を周回するに従って、その一部が徐々に下方側の汚物受け面１４に向かって流下することとなる。
【００２９】
導水路３０は、深部３０ａを有することから、ボウル部２０の前方側領域内の前端領域から右側領域まで、例えば、深部３０ａからリム吐水口近傍部３０ｂまで、の全部又は一部にわたり、リム吐水口２６から吐水される洗浄水の周回方向Ｄに沿って流路面の高さ位置が上昇する上昇流路３０ｃを形成する。本実施形態においては、導水路３０の上昇流路３０ｃは、深部３０ａからリム吐水口近傍部３０ｂまで、徐々に上昇する。導水路３０の上昇流路３０ｃは、導水路３０の前端部３０ｄから右側部分３０ｅ、例えばリム吐水口２６近傍まで延びている。導水路３０のリム吐水口近傍部３０ｂは、リム吐水口２６の高さ位置に配置され、且つ後部３０ｆ、左前方部３０ｇ等の高さ位置と同じ高さ位置に配置されている。上昇流路３０ｃは、その下端部が深部３０ａと接続され、且つその上端部がリム吐水口近傍部３０ｂと接続されている。
【００３０】
導水路３０は、その深部３０ａから上昇する上昇流路３０ｃの少なくとも一部、例えば上部側部分においては、ボウル部２０の内側から外側に向かって下降する傾斜面又はボウル部２０の内側から外側に向かって水平に形成された水平面を形成する棚部３０ｈを備えている。
【００３１】
導水路３０の棚部３０ｈは、上昇流路３０ｃの中央部分３０ｉから上端部のリム吐水口近傍部３０ｂにわたって形成されている。なお、導水路３０の棚部３０ｈは、上昇流路３０ｃの全部又は一部に形成されることができ、例えば、上端部のリム吐水口２６近傍においてのみ形成されていてもよい。導水路３０の棚部３０ｈは、特に導水路３０がリム吐水口２６と合流されるリム吐水口近傍部３０ｂのリム吐水口２６の内側の領域を含むように形成されている。なお、上昇流路３０ｃの下端部の深部３０ａから中央部分３０ｉまでにおいては棚部３０ｈが形成されていないので、上昇流路３０ｃは、ボウル部２０の外側から内側に向かって下降する順傾斜面を形成している。
【００３２】
図７に示すように、導水路３０の棚部３０ｈは、ボウル部２０の内側から外側に向かって下降する逆傾斜面を形成している。すなわち、棚部３０ｈの逆傾斜面は、例えば、左前方部３０ｇ側のボウル部２０の外側から内側に向かって下降する順傾斜面とは逆の向きに向けられる。棚部３０ｈの逆傾斜面は、その棚部３０ｈの開始部から上昇するにつれて外側への傾斜が大きくなり、その上端部近傍においては逆傾斜が上昇するにつれ徐々に小さくなって水平に戻るように形成されている。逆傾斜面は便器本体２の外向きの面を形成している。逆傾斜面の垂線は便器本体の外側に向かって延びる。棚部３０ｈは、汚物受け面１４とは反対側（便器本体２の外側）に向かって傾斜している。よって、汚物受け面上端部１４ａは、リム下端部１８ａよりも高い位置に配置されている。この棚部３０ｈ上を流れる洗浄水は、便器本体２の外側、すなわちリム部１８側に向かって寄りやすく（流れやすく）なっている。上昇流路３０ｃの周回方向Ｄに上昇する流路の上部側において、洗浄水の水勢が弱まってくる場合においても、洗浄水を汚物受け面１４側に流下させにくくすることができ、洗浄水を棚部３０ｈ上に留めるようにしながら下流側に導くことができる。
【００３３】
導水路３０の棚部３０ｈは、ボウル部２０の内側から外側に向かってほぼ水平に形成された水平面を形成していてもよい、この場合、棚部３０ｈの水平面の垂線は、例えば、順傾斜面とは異なる鉛直方向上向きに向けられる。棚部３０ｈは、汚物受け面１４に向かった傾斜を形成していない。よって、汚物受け面上端部１４ａは、リム下端部１８ａと同じ高さ位置に配置されている。導水路３０の棚部３０ｈが水平面を形成している場合には、この棚部３０ｈ上を流れる洗浄水は、便器本体２の内側又は外側に向かって寄りにくく、自身の流れの向き及び速度等を維持する。よって、上昇流路３０ｃの周回方向Ｄに上昇する流路の上部側において、洗浄水の水勢が弱まってくる場合においても、洗浄水を汚物受け面１４側に流下させにくくすることができ、洗浄水を棚部３０ｈ上に留めるようにしながら下流側に導くことができる。
【００３４】
ボウル部２０の棚部３０ｈは、ボウル部２０のボウル開口を左右に二等分する前後方向軸線Ａ１と、ボウル開口を前後に二等分する左右方向軸線Ａ２との交点を原点（中心点）Ｃとし、この原点Ｃを中心として、前後方向軸線Ａ１に対して下流側且つ前後方向軸線Ａ１からの中心角α１度以上α２度以下の範囲の領域Ｅ内において形成されている。例えばα１度は２０度であり、例えばα２度は６０度である。
【００３５】
なお、導水路３０の上昇流路３０ｃの上端部はリム吐水口近傍部３０ｂに形成されているので、リム吐水口２６からの吐水の終了後において、リム吐水口２６及び/又はリム通水路２４等から少量の残水が漏れ出るように流出する場合においても、流出した少量の洗浄水が導水路３０の上昇流路３０ｃに流下し、上昇流路３０ｃ内の棚部３０ｈに沿って深部３０ａに向かって流下することができ、深部３０ａは内側向きの順傾斜面を形成しているので、この洗浄水が深部３０ａから汚物受け面１４に流下することができる。
また、リム吐水口２６からの吐水の終了後等の洗浄水の水勢が弱まってくる場合において、上昇流路３０ｃを上りきれない洗浄水が生ずるとき、これらの洗浄水が棚部３０ｈの逆傾斜面に沿って外側に集められ且つ導水路３０の上昇流路３０ｃに沿って深部３０ａに向かって流下することができる。このようにして、上昇流路３０ｃを上りきれない洗浄水が生ずる場合においても、洗浄水を棚部３０ｈにおいて溜めることなく、上昇流路３０ｃに沿って深部３０ａに向かって流下させることができる。さらに、深部３０ａは内側向きの順傾斜面を形成しているので、この洗浄水が深部３０ａから汚物受け面１４に流下することができる。
【００３６】
つぎに、図１〜図５を参照して、本発明の一実施形態による水洗大便器の動作（作用）について説明する。
使用者が、便器使用後に、例えば、大洗浄用の操作ボタン（図示せず）を押すと、この操作ボタン（図示せず）からの信号がコントローラ（図示せず）に送信され、水洗大便器１の大洗浄用の洗浄動作が開始される。
使用者が操作ボタン（図示せず）を操作すると、コントローラは洗浄水を水道等の給水源から導水管２８、リム通水路２４を通過させ、リム吐水口２６から吐出させる。
リム吐水口２６から吐出された洗浄水は、ボウル部２０内を旋回しながら下方へ流下し、ボウル部２０の内壁面が洗浄される。
【００３７】
リム吐水口２６から吐出される洗浄水は、矢印Ｆ１に示すように、リム吐水口２６から導水路３０のリム吐水口近傍部３０ｂ上に吐水される。矢印Ｆ２に示すように、リム吐水口２６から吐水された洗浄水は、導水路３０上を周回するような向き（周回方向Ｄの向き）で導水路３０上に周回流（旋回流）を形成する。このとき、矢印Ｆ３に示すように、洗浄水が徐々に内側の汚物受け面１４に流下することにより、汚物受け面１４の中心に向かって螺旋状に集束するような旋回流を形成することができる。
【００３８】
矢印Ｆ４に示すように、導水路３０の深部３０ａを通過した洗浄水は、導水路３０の上昇流路３０ｃ上を周回方向Ｄの向きに上昇する。このとき、洗浄水は、上昇流路３０ｃ上を上昇するので洗浄水の水勢及び流速は徐々に弱まる。上昇流路３０ｃの深部３０ａから中央部分３０ｉまでの領域においては順傾斜面が形成されているので、矢印Ｆ５に示すように、このような領域においては、導水路３０上を旋回する洗浄水のうち一部が内側の汚物受け面１４上に流下しやすくなっている。
【００３９】
矢印Ｆ６に示すように、洗浄水が上昇流路３０ｃの棚部３０ｈに到達するとき、棚部３０ｈがボウル部２０の内側から外側に向かって下降する傾斜面又はボウル部２０の内側から外側に向かって水平に形成された水平面を形成しているので、洗浄水がボウル部２０の前部の上昇流路３０ｃの棚部３０ｈからボウル部２０の内側の汚物受け面１４側に流下することを抑制できる。
具体的には、棚部３０ｈが逆傾斜面を形成しているので、棚部３０ｈ上を流れる洗浄水は、リム部１８に寄らせるような力Ｐを受ける。従って、棚部３０ｈ上を流れる洗浄水は、洗浄水の水量が低下したり、水勢が弱まったり、水流の流速が低下したりする場合においても、汚物受け面上端部１４ａ側から流下しにくく且つ流下することを抑制される。このように棚部３０ｈ上から汚物受け面上端部１４ａ側に流下される洗浄水の水量は抑制されるので、棚部３０ｈ上から汚物受け面上端部１４ａ側に流下される洗浄水の水量を比較的少量に抑制することができる。よって、洗浄水が上昇流路３０ｃの上端部に到達するまでに汚物受け面１４側に流下しすぎてしまうことを抑制でき、洗浄水が上昇流路３０ｃの上端部まで到達する前に全て内側の汚物受け面１４へ流下してしまうことを抑制し、洗浄水を上昇流路３０ｃの上端部まで到達させるとともに上昇流路３０ｃから汚物受け面１４側に流下する流れを上昇流路３０ｃのほぼ全体にわたって比較的広範囲に形成することができる。よって、洗浄水が上昇流路３０ｃの上端部まで到達されず且つ上昇流路３０ｃから汚物受け面１４側に流下する流れが形成されなくなることによるボウル部２０内の不洗浄領域が発生することをより効果的に抑制することができる。
【００４０】
このように、上昇流路３０ｃを通過した上部の導水路３０から、又は上昇流路３０ｃを通過する途中の部分からも比較的広範囲にわたって導水路から汚物受け面１４側に流下する流れを形成することができる。また、導水路３０上を周回してきた洗浄水の水勢及び流速が最も弱まる傾向にある上昇流路３０ｃの上端部（リム吐水口近傍部３０ｂのリム吐水口２６の直前の導水路部分）においても洗浄水が汚物受け面上端部１４ａ側に流下することを抑制し、上端部から汚物受け面上端部１４ａ側に流下する洗浄水量を比較的少量に抑制し、洗浄水を導水路３０上でリム吐水口近傍部３０ｂまで周回させることができる。
【００４１】
よって、周方向に導水される洗浄水が上昇流路３０ｃの上端部まで到達する前にこれらの洗浄水のうちの全てが内側の汚物受け面１４へ流下してしまうことを抑制することができる。よって、導水路３０上を周回方向Ｄに流れている洗浄水が上昇流路３０ｃの上端部まで到達できずに流下してしまうことにより導水路３０の不洗浄領域が発生すること、及び/又はこの洗浄水が上昇流路３０ｃの上端部まで到達できずに、汚物受け面１４上に形成される旋回流の流れに偏りが生じ、汚物受け面１４上に不洗浄領域が発生すること、又はこの洗浄水が上昇流路３０ｃの上端部まで到達した状態から汚物受け面１４上に流下して汚物受け面１４上に形成される旋回流の流れが形成されないことにより汚物受け面１４上に不洗浄領域が発生すること、等のボウル部２０内において不洗浄領域が発生することをより効果的に抑制することができる。
【００４２】
洗浄水がリム吐水口近傍部３０ｂのリム吐水口２６の正面側まで到達するとき、リム吐水口２６から吐水された洗浄水の流れ（矢印Ｆ１参照）と相俟って、さらに導水路３０上を周回しようとする流れが形成される。
【００４３】
洗浄水は、導水路３０上を周回しようとする中で、徐々に内側の汚物受け面１４に流下し、汚物受け面１４の中心に向かって集束するような旋回流を形成する。洗浄水の水勢が弱められ、汚物受け面１４側に流下しやすくなる上昇流路３０ｃの棚部３０ｈの領域において洗浄水を流下させにくくすることができる。よって、洗浄水が上昇流路３０ｃの上端部に到達するまでに汚物受け面１４側に流下しすぎてしまうことを抑制することができるので、導水路３０の全周から比較的均等に流下される洗浄水により、汚物受け面１４全体を不洗浄領域を発生させないように均等に洗浄することができる。
【００４４】
汚物受け面１４を流下した洗浄水は、溜水部１７に流下され、排水トラップ管路２２内に流入する。前後して、コントローラにより作動された加圧ポンプ３６によりゼット吐水部３２から吐出された洗浄水が排水トラップ管路２２内に流入し、排水トラップ管路２２を満水にしてサイホン現象を引き起こす。このサイホン現象により、ボウル部２０内の溜水及び汚物は、排水トラップ管路２２に吸引され、下流側の排水管（図示せず）から排出される。
便器本体２に洗浄水が供給されてから所定時間経過後、コントローラ（図示せず）は、リム吐水口２６からの吐水を終了させ、加圧ポンプ３６の作動を停止させ、ゼット吐水部３２からの吐水も停止させ、一連の洗浄動作が終了する。
【００４５】
つぎに、上述した本発明の一実施形態による水洗大便器１における作用について説明する。
まず、本実施形態による水洗大便器１によれば、導水路３０上で周方向に導水される洗浄水が、導水路３０の深部３０ａから上昇する上昇流路３０ｃを上昇し、洗浄水の水勢が弱められる場合に、導水路３０の上昇流路３０ｃの少なくとも一部において、棚部３０ｈがボウル部２０の内側から外側に向かって下降する傾斜面又はボウル部２０の内側から外側に向かって水平に形成された水平面を形成しているので、洗浄水が上昇流路３０ｃの上端部に到達するまでにボウル部２０の内側の汚物受け面１４側に流下しすぎてしまうことを抑制できる。従って、洗浄水が上昇流路３０ｃの上端部まで到達する前に全て内側の汚物受け面１４へ流下してしまうことを抑制し、洗浄水が上昇流路３０ｃの上端部まで到達されず且つ上昇流路３０ｃから汚物受け面１４側に流下する流れが形成されなくなることによりボウル部２０内の不洗浄領域が発生することをより効果的に抑制することができる。
【００４６】
つぎに、本実施形態による水洗大便器１によれば、導水路３０上で周方向に導水される洗浄水が、導水路３０の深部３０ａから上昇する上昇流路３０ｃを上昇し、洗浄水の水勢が弱められる場合に、導水路３０の上昇流路３０ｃの少なくとも一部において、棚部３０ｈがボウル部２０の内側から外側に向かって下降する傾斜面を形成しているので、洗浄水が上昇流路３０ｃの上端部に到達するまでにボウル部２０の内側の汚物受け面１４側に流下しすぎてしまうことを抑制できる。従って、洗浄水が上昇流路３０ｃの上端部まで到達する前に全て内側の汚物受け面１４へ流下してしまうことを抑制し、洗浄水が上昇流路３０ｃの上端部まで到達されず且つ上昇流路３０ｃから汚物受け面１４側に流下する流れが形成されなくなることによりボウル部２０内の不洗浄領域が発生することをより効果的に抑制することができる。
【００４７】
また、本実施形態による水洗大便器１によれば、導水路３０上で周方向に導水される洗浄水が、ボウル部２０の前部の深部３０ａからリム吐水口２６まで上昇する上昇流路３０ｃを上昇し、洗浄水の水勢が弱められる場合に、導水路３０の上昇流路３０ｃの少なくとも一部において、棚部３０ｈがボウル部２０の内側から外側に向かって下降する傾斜面又はボウル部２０の内側から外側に向かって水平に形成された水平面を形成しているので、洗浄水が上昇流路３０ｃの上端部に到達するまでにボウル部２０の内側の汚物受け面１４側に流下しすぎてしまうことを抑制できる。従って、洗浄水が上昇流路３０ｃの上端部まで到達する前に全て内側の汚物受け面１４へ流下してしまうことを抑制し、洗浄水が上昇流路３０ｃの上端部まで到達されず且つ上昇流路３０ｃから汚物受け面１４側に流下する流れが形成されなくなることによりボウル部２０内の不洗浄領域が発生することをより効果的に抑制することができる。
また、リム吐水口２６は、ボウル部２０の前方側領域において後方に向けた吐水を行うように配置されているので、ボウル部２０の前方側に立つ使用者から見てリム吐水口２６が見えにくく且つ目立ちにくくされている。従って、リム吐水口２６を目立たなくすることにより、使用者がリム吐水口２６の汚れ等を気にすることを抑制し且つボウル部２０全体として使用者に美観を与えやすくすることができる。
【００４８】
さらに、本実施形態による水洗大便器１によれば、導水路３０上で周方向に導水される洗浄水が、ボウル部２０の前部の深部３０ａからリム吐水口２６まで上昇する上昇流路３０ｃを上昇し、洗浄水の水勢が弱められる場合に、洗浄水の水勢が特に弱まる導水路３０の上昇流路３０ｃの中央部分から上端部にわたって、棚部３０ｈがボウル部２０の内側から外側に向かって下降する傾斜面又はボウル部２０の内側から外側に向かって水平に形成された水平面を形成しているので、洗浄水が上昇流路３０ｃの上端部に到達するまでにボウル部２０の内側の汚物受け面１４側に流下しすぎてしまうことを抑制できる。
【００４９】
さらに、本実施形態による水洗大便器１によれば、導水路３０上で周方向に導水される洗浄水が、ボウル部２０の前部の深部３０ａからリム吐水口２６まで上昇する上昇流路３０ｃを上昇し、洗浄水の水勢が弱められる場合に、洗浄水の水勢が特に弱まる前後方向軸線Ａ１からの中心角２０度以上６０度以下の範囲の領域内において、棚部３０ｈがボウル部２０の内側から外側に向かって下降する傾斜面又はボウル部２０の内側から外側に向かって水平に形成された水平面を形成しているので、洗浄水が上昇流路３０ｃの上端部に到達するまでにボウル部２０の内側の汚物受け面１４側に流下しすぎてしまうことを抑制できる。
【符号の説明】
【００５０】
１        水洗大便器
２        便器本体
４        便座
６        便蓋
８        機能部
１０      衛生洗浄系機能部
１２      給水系機能部
１４      汚物受け面
１４ａ    汚物受け面上端部
１７      溜水部
１８      リム部
１８ａ    リム下端部
２０      ボウル部
２２      排水トラップ管路
２２ａ    入口部
２２ｂ    上昇管路
２２ｃ    頂部
２２ｄ    下降管路
２４      リム通水路
２６      リム吐水口
２８      導水管
３０      導水路
３０ａ    深部
３０ｂ    リム吐水口近傍部
３０ｃ    上昇流路
３０ｄ    前端部
３０ｅ    右側部分
３０ｆ    後部
３０ｇ    左前方部
３０ｈ    棚部
３０ｉ    中央部分
３１      ゼット導水路
３２      ゼット吐水部
３４      貯水タンク
３６      加圧ポンプ
Ａ１      前後方向軸線
Ａ２      左右方向軸線
Ｃ        原点
Ｄ        周回方向
Ｅ        領域
Ｆ１      矢印
Ｆ２      矢印
Ｆ３      矢印
Ｆ４      矢印
Ｆ５      矢印
Ｆ６      矢印
Ｆ７      矢印
Ｐ        力
【図１】
2017227079.tif 000003
【図２】
2017227079.tif 000004
【図３】
2017227079.tif 000005
【図４】
2017227079.tif 000006
【図５】
2017227079.tif 000007
【図６】
2017227079.tif 000008
【図７】
2017227079.tif 000009